(57)【要約】【課題】メインシール４および異物シール５を有するダブルリップタイプのオイルシール１において、密封流体Ａ中に含まれる切削粉等の金属粉Ｅによって異物シール５が早期に摩耗するのを抑えることができ、もってシール寿命を延ばすことができるオイルシール１を提供する。【解決手段】軸３等の相手部材に摺動自在に密接するメインシール４と、メインシール４の密封流体Ａ側に配置されて同じく軸３等の相手部材に摺動自在に密接する異物シール５とを有するオイルシール１において、異物シール５は、メインシール４に取り付けられた取付環９と、取付環９に支持されたシールリップ１０ａとを有しており、取付環９に、密封流体Ａ中に含まれる金属粉Ｅを吸着するための磁性を持たせることにした。【選択図】図１
2005214220.tif 000002
【特許請求の範囲】
【請求項１】
軸（３）等の相手部材に摺動自在に密接するメインシール（４）と、前記メインシール（４）の密封流体（Ａ）側に配置されて同じく前記軸（３）等の相手部材に摺動自在に密接する異物シール（５）とを有するオイルシール（１）において、
前記異物シール（５）は、前記メインシール（４）に取り付けられた取付環（９）と、前記取付環（９）に支持されたシールリップ（１０ａ）とを有し、
前記取付環（９）に、前記密封流体（Ａ）中に含まれる金属粉（Ｅ）を吸着するための磁性を持たせたことを特徴とするオイルシール。
【請求項２】
請求項１のオイルシールにおいて、
異物シール（５）のシールリップ（１０ａ）に、取付環（９）よりも軸方向密封流体（Ａ）側に突出する突出部位（１０ｂ）を一体成形し、前記突出部位（１０ｂ）に、前記取付環（９）に吸着した金属粉（Ｅ）が軸（３）等の相手部材と前記シールリップ（１０ａ）との摺動部に接近するのを防止する環状の堰部（１０ｃ）を設けたことを特徴とするオイルシール。
【発明の詳細な説明】
【技術分野】
【０００１】
本発明は、密封装置の一種であるオイルシールに関するものである。
【背景技術】
【０００２】
従来から、軸等の相手部材に摺動自在に密接するメインシールと、このメインシールの密封流体側に配置されて同じく相手部材に摺動自在に密接する異物シールとを有するダブルリップタイプのオイルシールが知られている。このオイルシールは、密封流体中に含まれる異物を異物シールでシールし、次いで密封流体自体をメインシールでシールすると云う二段構造のオイルシールである。
【０００３】
しかしながら、この従来のオイルシールによると、密封流体中に切削粉等の金属粉が含まれている場合に、この金属粉が摺動部に噛み込まれることによって異物シールが早期に摩耗し、これに伴って金属粉がメインシールまで達するためにメインシールも早期に摩耗すると云う不都合がある。
【０００４】
尚、図２に示すように、本発明に関連する先行技術として、実開昭６２−１００３７４号公報（特許文献１）に、自動車や産業機械等に潤滑油を密封するため使用されているオイルシール５１において、潤滑油中の鉄粉Ｅ等を吸着するため磁気を帯びた金属環５２を備えたことを特徴とするオイルシール５１が掲載されているが、このオイルシール５１は、メインシール５３のみを有して異物シールを有していない点で本発明とは構成を異にしている。
【０００５】
また、この図２のオイルシールに５１よると、金属環５２の外側端面に多量の鉄粉Ｅが吸着されたときに、この鉄粉Ｅを保持しきれず、よって一部の鉄粉Ｅが軸５４の周面上に落下してメインシール５３と軸５４との摺動部５５に接近することがある。したがって、この落下・接近する鉄粉Ｅが摺動部に噛み込まれることによってメインシール５３の摩耗が却って促進される不都合がある。
【０００６】
【特許文献１】実開昭６２−１００３７４号公報
【発明の開示】
【発明が解決しようとする課題】
【０００７】
本発明は以上の点に鑑みて、メインシールおよび異物シールを有するダブルリップタイプのオイルシールにおいて、密封流体中に含まれる切削粉等の金属粉によって異物シールが早期に摩耗するのを抑えることができ、もってシール寿命を延ばすことができるオイルシールを提供することを目的とする。
【０００８】
またこれに加えて、吸着した金属粉が異物シールの摺動部に接近するのを抑えることができ、もってこの点からもシール寿命を延ばすことができるオイルシールを提供することを目的とする。
【課題を解決するための手段】
【０００９】
上記目的を達成するため、本発明の請求項１によるオイルシールは、軸等の相手部材に摺動自在に密接するメインシールと、前記メインシールの密封流体側に配置されて同じく前記軸等の相手部材に摺動自在に密接する異物シールとを有するオイルシールにおいて、前記異物シールは、前記メインシールに取り付けられた取付環と、前記取付環に支持されたシールリップとを有し、前記取付環に、前記密封流体中に含まれる金属粉を吸着するための磁性を持たせたことを特徴とするものである。
【００１０】
また、本発明の請求項２によるオイルシールは、上記した請求項１のオイルシールにおいて、異物シールのシールリップに、取付環よりも軸方向密封流体側に突出する突出部位を一体成形し、前記突出部位に、前記取付環に吸着した金属粉が軸等の相手部材と前記シールリップとの摺動部に接近するのを防止する環状の堰部を設けたことを特徴とするものである。
【００１１】
上記構成を備えた本発明の請求項１によるオイルシールのように、異物シールの取付環に密封流体中に含まれる金属粉を吸着するための磁性を持たせると、この磁性による吸引力によって金属粉を吸着することが可能となる。
【００１２】
またこれに加えて、上記構成を備えた本発明の請求項２によるオイルシールのように、異物シールのシールリップに一体成形した突出部位に環状の堰部を設けると、この堰部による堰き止め作用によって、取付環に吸着した金属粉が異物シールの摺動部に接近するのを堰き止めることが可能となる。
【発明の効果】
【００１３】
本発明は、以下の効果を奏する。
【００１４】
すなわち、本発明の請求項１によるオイルシールにおいては、異物シールの取付環に密封流体中に含まれる金属粉を吸着するための磁性を持たせるようにしたために、この磁性による吸引作用によって金属粉を異物シールの取付環に吸着することが可能である。したがって、多量の金属粉が摺動部に噛み込まれることによって異物シールが早期に摩耗するのを抑えることができ、もって異物シールのシール寿命を延ばすことができる。また、異物シールのシール寿命を延ばすことができれば、これに伴ってメインシールのシール寿命を延ばすこともできる。
【００１５】
またこれに加えて、本発明の請求項２によるオイルシールにおいては、異物シールのシールリップに取付環よりも軸方向密封流体側に突出する突出部位を一体成形してこの突出部位に取付環に吸着した金属粉が軸等の相手部材とシールリップとの摺動部に接近するのを防止する環状の堰部を設けるようにしたために、この堰部による堰き止め作用によって、取付環に吸着した金属粉が異物シールの摺動部に接近するのを堰き止めることが可能である。したがって、上記従来のように一旦吸着した金属粉によってシールの摩耗が却って促進される不都合が発生するのを未然に防止することができる。
【発明を実施するための最良の形態】
【００１６】
つぎに本発明の実施例を図面にしたがって説明する。
【００１７】
図１は、本発明の実施例に係るオイルシール１の半裁断面を示しており、このオイルシール１は以下のように構成されている。
【００１８】
すなわち先ず、ハウジング２の軸孔内周に嵌着されて軸３の周面に摺動自在に密接するメインシール４が設けられており、このメインシール４の密封流体Ａ側に、同じく軸３の周面に摺動自在に密接する異物シール５が設けられている。
【００１９】
上記メインシール４は、金属製の補強環６にゴム状弾性体７を加硫接着したものである。
【００２０】
補強環６は、上記ハウジング２の内周に嵌着される筒状部６ａの軸方向一端（図上右端）に径方向内方へ向けてフランジ部６ｂを一体成形したものである。
【００２１】
ゴム状弾性体７は、補強環６の筒状部６ａの外周面に被着されて補強環６およびハウジング２間をシールする外周シール部７ａと、補強環６の筒状部６ａの内周面に被着されて補強環６および後記する異物シール５の取付環９間をシールする内周シール部７ｂと、補強環６のフランジ部６ｂの内周端部に被着されて上記軸３の周面に摺動自在に密接するシールリップ７ｃとを一体に有しており、シールリップ７ｃは密封流体Ａ側に向けて設けられ、かつその外周にはガータースプリング８が嵌着されている。
【００２２】
上記異物シール５は、金属製の取付環９にゴム状弾性体１０を加硫接着したものであって、前者の取付環９に、密封流体Ａ中に含まれる金属粉Ｅを吸着するための磁性が持たされている。
【００２３】
取付環９は、上記補強環６における筒状部６ａの内周側に嵌着される筒状部９ａの軸方向他端（図上左端）に径方向内方へ向けてフランジ部９ｂを一体成形したものであって、上記したようにこの取付環９に、密封流体Ａ中に含まれる金属粉Ｅを吸着することができるよう磁性が設定されている。
【００２４】
ゴム状弾性体１０は、取付環９のフランジ部９ｂの内周端部に被着されて上記軸３の周面に摺動自在に密接するシールリップ１０ａを有しており、またこのシールリップ１０ａの外周側に、取付環９よりも軸方向密封流体Ａ側に突出する突出部位１０ｂが一体成形され、この突出部位１０ｂの外周面に、取付環９に吸着した金属粉Ｅが軸３とシールリップ１０ａとの摺動部に落下・接近するのを防止する環状の堰部１０ｃが設けられている。シールリップ１０ａは、上記メインシール４のシールリップ７ｃと同様、密封流体Ａ側に向けて設けられている。突出部位１０ｂは、取付環９のフランジ部９ｂの外側端面に加硫接着されており、よってこの外側端面よりも密封流体Ａ側へ突出している。
【００２５】
上記構成のオイルシール１は、密封流体Ａ中に含まれる異物を異物シール５でシールし、次いで密封流体Ａ自体をメインシール４でシールする二段構造のオイルシールであって、上記構成により以下の作用効果を発揮する点に特徴を有している。
【００２６】
すなわち先ず、異物シール５の取付環９に密封流体Ａ中に含まれる金属粉Ｅを吸着するための磁性が持たせられているために、この磁性による吸引作用によって金属粉Ｅを吸着することが可能とされている。したがって、多量の金属粉Ｅが軸３とシールリップ１０ａとの摺動部に噛み込まれることによって異物シール５が早期に摩耗するのを抑えることができ、もって異物シール５のシール寿命を延ばすことができる。また、異物シール５のシール寿命が延ばされるのに伴ってメインシール４のシール寿命を延ばすこともできる。
【００２７】
また併せて、異物シール５のシールリップ１０ａの外周側に異物シール５の取付環９よりも軸方向密封流体Ａ側に突出する突出部位１０Ｂを一体成形してこの突出部位１０ｂに取付環９に吸着した金属粉Ｅが軸３とシールリップ１０ａとの摺動部に落下・接近するのを防止する環状の堰部１０ｃを設けたために、この堰部１０ｃによる堰き止め作用によって、取付環９に吸着した金属粉Ｅが異物シール５の摺動部に落下・接近するのを堰き止めることが可能とされている。したがって、上記従来技術のように一旦吸着した金属粉Ｅが落下・接近することによりシールの摩耗が却って促進されるのを未然に防止することができ、これによってもシールの製品寿命を延ばすことができる。
【００２８】
尚、上記実施例に係るオイルシール１は、本発明の技術的範疇においてその構成を種々変更することが可能である。例えば、上記実施例では、取付環９の全体に磁性を持たせるように構成されているが、金属粉Ｅを吸着するのが取付環９のフランジ部９ｂであることから、このフランジ部９ｂのみに磁性を持たせても良い。また、金属粉Ｅを吸着するのが取付環９におけるフランジ部９ｂの外側端面であることから、このフランジ部９ｂの外側端面のみに磁性を持たせても良い。
【図面の簡単な説明】
【００２９】
【図１】本発明の実施例に係るオイルシールの半裁断面図
【図２】従来例に係るオイルシールの半裁断面図
【符号の説明】
【００３０】
１  オイルシール
２  ハウジング
３  軸（相手部材）
４  メインシール
５  異物シール
６  補強環
６ａ，９ａ  筒状部
６ｂ，９ｂ  フランジ部
７，１０  ゴム状弾性体
７ａ  外周シール部
７ｂ  内周シール部
７ｃ，１０ａ  シールリップ
８  ガータースプリング
９  取付環
１０ｂ  突出部位
１０ｃ  堰部
Ｅ  金属粉
【図１】
2005214220.tif 000003
【図２】
2005214220.tif 000004